(57)【要約】【課題】地震発生時には蓋が建物の変位に追従し、地震がおさまれば元の位置に復位するようにした場合、蓋の上を車両も走行できる程度に強度も確保でき、建物側との取り合い部においてそのための部材を別途必要とせず、蓋を受け躯体の上に置くだけで接続できるエキスパンション・ジョイントを得る。【解決手段】免震建物躯体１の外周部２の地盤に形成される隙間４を免震蓋５で塞ぐエキスパンション・ジョイントにおいて、隙間４の免震建物躯体１側に嵌合凹部１２を形成し、免震蓋５の免震建物躯体１側に前記嵌合凹部１２に嵌合する凸部６を形成するとともに、前記凸部６が嵌合凹部１２内で回動可能なように免震蓋５の免震建物躯体１側の側面を上方に向かってすぼまるテーパー面９に形成し、免震蓋５の外周部２側の側部を外方に向かって細くなるテーパー部８に形成し、前記外周部２側の床部に前記テーパー部８が摺接する摺動傾斜部１４を形成した。【選択図】        図１
2010121267.tif 000002
【特許請求の範囲】
【請求項１】
免震建物の外周部の地盤に形成されるクリアランスを免震蓋で塞ぐエキスパンション・ジョイントにおいて、クリアランスの建物躯体側に嵌合凹部を形成し、免震蓋の建物躯体側に前記嵌合凹部に嵌合する凸部を形成するとともに、前記凸部が嵌合凹部内で回動可能なように免震蓋の建物躯体側の側面を上方に向かってすぼまるテーパー面に形成し、免震蓋の外周部側の側部を外方に向かって細くなるテーパー部に形成し、前記外周部側の床部に前記テーパー部が摺接する摺動傾斜部を形成したことを特徴とするエキスパンション・ジョイント。
【請求項２】
免震蓋の先端側部を支承する外周部床部の上面には、硬質ゴムなどによるガタツキ防止材を配設した請求項１記載のエキスパンション・ジョイント。
【請求項３】
免震蓋の先端側部を支承する外周部床部の上面には、摩擦抵抗を軽減する金属などの滑り材を敷設する請求項１または請求項２に記載のエキスパンション・ジョイント。
【請求項４】
免震蓋をプレキャストコンクリート製とする請求項１から請求項３のいずれかに記載のエキスパンション・ジョイント。
【発明の詳細な説明】
【技術分野】
【０００１】
本発明は、免震建物と外周部との間に形成されクリアランス（隙間）に設けられるエキスパンション・ジョイントに関するものである。
【背景技術】
【０００２】
一般に免震建物の外周部には、建物の横方向の変位を吸収するために建物躯体と外周の地盤との間に数１０ｃｍ程度のクリアランス（溝による隙間）を設けているが、この隙間の上は通常は歩行したり、車両が走行したりする。そのため、免震建物と、この建物と相対的に挙動するその外周部の床部との間に例えば鉄板やグレーチングなどによる蓋を設置しクリアランスを塞いで、建物と外周部とを繋ぎ、人や車両の通行を可能にしている。
【０００３】
前記鉄板やグレーチングによる蓋では、地震発生時に振動で蓋が跳ね上がったり、スライドすると、地震がおさまった後も、そのままで元の場所に戻らず、戻すには人手による作業を要した。
【０００４】
なお、例えば特許文献１には、蓋の先端部を斜め断面形状とし、地震などの一時変形に対してスムーズに追従可動できるようにしたものが記載されており、スプリング丁番により建物側へ蓋の一端が接続されている。この発明によれば、振動により蓋が跳ね上がっても、蓋の一端が建物側に丁番で接続されているから、振動が収まれば、元の位置に復位する。
【特許文献１】特開２００５−４８４９１号公報
【発明の開示】
【発明が解決しようとする課題】
【０００５】
前記特許文献１に記載の発明は、蓋の建物側への接続部が、スプリング丁番により回動可能としたものであり、接続のための部材を別途要するだけでなく、接続部の構造も複雑となり、回動接続部が破損するおそれもある。
【０００６】
本発明は、前記従来例の不都合を解消するものとして、地震発生時には蓋が建物の変位に追従し、地震がおさまれば元の位置に復位するようにした場合、蓋の上を車両も走行できる程度に強度も確保でき、建物側との取り合い部においてそのための部材を別途必要とせず、蓋を受け躯体の上に置くだけで接続できるエキスパンション・ジョイントを提供するものである。
【課題を解決するための手段】
【０００７】
請求項１記載の本発明は、免震建物の外周部の地盤に形成されるクリアランスを免震蓋で塞ぐエキスパンション・ジョイントにおいて、クリアランスの建物躯体側に嵌合凹部を形成し、免震蓋の建物躯体側に前記嵌合凹部に嵌合する凸部を形成するとともに、前記凸部が嵌合凹部内で回動可能なように免震蓋の建物躯体側の側面を上方に向かってすぼまるテーパー面に形成し、免震蓋の外周部側の側部を外方に向かって細くなるテーパー部に形成し、前記外周部側の床部に前記テーパー部が摺接する摺動傾斜部を形成したことを要旨とするものである。
【０００８】
請求項１記載の本発明によれば、免震蓋をクリアランス（隙間）の上に被せるだけで、凸部が嵌合凹部に嵌り込んで免震蓋を設置できる。そして、地震などの振動が加わると、免震蓋に形成してあるテーパー面により生じる隙間によって免震蓋の凸部が嵌合凹部内で回動し、これにより、免震蓋の外周部側が持ち上がると同時に、地震による外周部の変位によって外周部側の床部に形成してある摺動傾斜部にそって免震蓋の外周部側の先端がスライドする。
【０００９】
そして、免震蓋の凸部とクリアランスの嵌合凹部との嵌合状態は保持されたままであるから、地震がおさまれば、免震蓋は元の位置に復位する。
【００１０】
請求項２記載の本発明は、免震蓋の先端側部を支承する外周部床部の上面には、硬質ゴムなどによるガタツキ防止材を配設したことを要旨とするものである。
【００１１】
請求項２記載の本発明によれば、外周部床部の上面には、硬質ゴムなどによるガタツキ防止材を配設したから、平常時、免震蓋の上を車両などが走行するときに発生するガタツキを軽減できる。
【００１２】
請求項３記載の本発明は、免震蓋の先端側部を支承する外周部床部の上面には、摩擦抵抗を軽減する金属などの滑り材を敷設することを要旨とするものである。
【００１３】
請求項３記載の本発明によれば、免震蓋先端のスライド時の滑り抵抗を小さくでき、スムーズにスライドさせられる。
【００１４】
請求項３記載の本発明は、免震蓋をプレキャストコンクリート（ＰＣ）製とすることを要旨とするものである。
【００１５】
請求項３記載の本発明によれば、免震蓋をプレキャストコンクリート（ＰＣ）コンクリート製とすることで、プレキャストコンクリート（ＰＣ）ヤードでの製作が可能となり、経済的である。また、強度も確保できるので、例えば免震建物が倉庫などに使用され、免震蓋の上をトラックやフォークリフトなどの重量物が走行する場合であっても、その重量に耐え、地震発生時には蓋としての機能も確実に発揮できる。
【発明の効果】
【００１６】
以上述べたように本発明のエキスパンション・ジョイントは、地震発生時には蓋が建物の変位に追従し、地震がおさまれば元の位置に復位するようにした場合、蓋の上を車両も走行できる程度に強度も確保でき、建物側との取り合い部においてそのための部材を別途必要とせず、蓋を受け躯体の上に置くだけで接続できるものである。
【発明を実施するための最良の形態】
【００１７】
以下、図面について本発明の実施形態を詳細に説明する。図１は本発明のエキスパンション・ジョイントの実施形態を示す縦断正面図で、図中１は免震建物躯体、２は建物の外周部を示し、免震建物躯体１の基礎には免震装置３が設置されて、外周部２や地盤と縁切りされている。
【００１８】
免震建物躯体１と外周部２との間には、地震発生時に免震建物躯体１が水平方向に変位したとき、この変位を吸収するために例えば数１０ｃｍ程度のクリアランス（隙間）４を設けて、この隙間４の開口を跨ぐようにして免震蓋５で閉塞しエキスパンション・ジョイントとしている。
【００１９】
免震蓋５は、現場内に設置したプレキャストコンクリート（ＰＣ）ヤードで作成可能なプレキャストコンクリート製とし、全体形状が略平板状のもので、免震建物躯体１側に位置する端部の下部を一段突出させて凸部６を形成し、外周部２側に位置する端部には図３にも示すようにアングル金物７を埋め込み、外方に向かって外側に傾斜して細くなるテーパー部８に形成する。
【００２０】
また、図２にも示すように免震建物躯体１側の端部の側面を上方に向かってすぼまるテーパー面９に形成し、免震建物躯体１との間にクリアランス１０を設けた。
【００２１】
さらに、免震建物躯体１側の端部の側面の底面側の角部は、面取り部１１に形成する。
【００２２】
前記免震蓋５が嵌めこまれる隙間４の免震建物躯体１の側は、ここを一段低い溝条にして前記凸部６が嵌合する嵌合凹部１２を形成し、外周部２側には免震蓋５の先端部分を支承する支承床部１３を形成し、この支承床部１３の先端は前記免震蓋５のテーパー部８が摺接する摺動傾斜部１４を形成した。
【００２３】
テーパー部８と摺動傾斜部１４との間には、免震蓋５が嵌め込まれた平常状態で、例えば約８ｃｍ程度のクリアランス（隙間）１７が形成されるようにする。このクリアランス（隙間）１７は、例えば震度５の中地震程度で生じる免震蓋５の移動を吸収するためのものである。
【００２４】
かかる免震蓋５を隙間４の上に載置すれば、図１に示すように免震蓋５の一端に形成した凸部６が免震建物躯体１の嵌合凹部１２内に嵌り込み、他端が支承床部１３で支持された状態でテーパー部８が外周部２の摺動傾斜部１４にクリアランス（隙間）１７を介して対向する。
【００２５】
また、この状態で、免震蓋５の先端のアングル金物７が外周部２の縁すなわち摺動傾斜部１４の上縁に係止する。
【００２６】
なお、免震蓋５の先端側部を支承する支承床部１３の上面には、硬質ゴムなどによるガタツキ防止材１５を適宜間隔で配設し、摩擦抵抗を軽減する金属などの滑り材１６を敷設することも可能である。
【００２７】
次に動作を説明する。図１は平常時の状態であり、免震蓋５の凸部６が免震建物躯体１の嵌合凹部１２内に嵌り込み、免震蓋５の他端が支承床部１３で支持され、テーパー部８が摺動傾斜部１４にクリアランス（隙間）１７を介して対向して免震蓋５の先端のアングル金物７が摺動傾斜部１４の上縁に係止している。
【００２８】
また、凸部６と嵌合凹部１２との嵌合箇所において、免震蓋５の側部をテーパー面９に形成してあるから、免震蓋５の側面と免震建物躯体１との間にはクリアランス１０が生じている。
【００２９】
これにより免震蓋５が隙間４の上部開口に跨るようにして隙間４を塞いでいる。よって、免震建物躯体１の周囲に隙間４が形成されていても、この箇所は免震蓋５で塞がれているから、この上を車両が走行できる。この場合、免震蓋５はＰＣ製としたから、重量のある車両が走行しても十分な強度を確保できる。また、ガタツキ防止材１５を配設してあるから、車両走行時のガタツキを防止できる。
【００３０】
免震蓋５の隙間４への設置は、隙間４の上部開口に置くだけでよいから容易に行える。
【００３１】
地震が発生すると、震動により免震建物躯体１が変位するが、嵌合凹部１２と凸部６との嵌合により免震建物躯体１に結合されている免震蓋５が、免震建物躯体１の変位に追従する。
【００３２】
このとき、図４に示すように、免震蓋５の免震建物躯体１側は、凸部６が嵌合凹部１２内で回動する。この回動動作は、免震蓋５の側部をテーパー面８に形成して嵌合凹部１２との間にクリアランス１０を確保し、また、角部を面取り部１１に形成してあることで、スムーズに回動できる。
【００３３】
一方、免震蓋５の外周部２側は、テーパー部８が摺動傾斜部１４にそって外方に向かってスライドしながら跳ね上がる。この場合、免震蓋５のスライドはクリアランス（隙間）１７で最初に吸収されるから、震度５程度の中地震であれば、免震蓋５の外周部２側がせりあがることはない。これにより、免震建物躯体１や外周部２の変位によって隙間４の幅が狭くなることに対応する。
【００３４】
この場合、免震蓋５の下面には滑り材１６を設けてあるから、免震蓋５をコンクリート製とした場合であっても滑り抵抗を小さくでき、免震蓋５の変位をスムーズにできる。
【００３５】
以上のようにして免震蓋５は、免震建物躯体１側を支点として回動し、外周部２側が跳ね上がり、地震がおさまれば、免震蓋５は前記とは反対に免震建物躯体１側を支点として回動し、外周部２側が摺動傾斜部１４に滑り落ちて、自動的にそのまま元の位置に復位する。
【図面の簡単な説明】
【００３６】
【図１】本発明のエキスパンション・ジョイントの実施形態を示す縦断正面図である。
【図２】本発明のエキスパンション・ジョイントの実施形態を示す要部である免震蓋の正面図である。
【図３】本発明のエキスパンション・ジョイントの実施形態を示す要部である免震蓋の先端と外周部の取り合い部の縦断正面図である。
【図４】本発明のエキスパンション・ジョイントの実施形態を示す変位した状態の縦断正面図である。
【符号の説明】
【００３７】
１  免震建物躯体                ２  外周部
３  免震装置                    ４  隙間
５  免震蓋                      ６  凸部
７  アングル金物                ８  テーパー部
９  テーパー面                  １０  クリアランス
１１  面取り部                  １２  嵌合凹部
１３  支承床部                  １４  摺動傾斜部
１５  ガタツキ防止材            １６  滑り材
１７  クリアランス（隙間）
【図１】
2010121267.tif 000003
【図２】
2010121267.tif 000004
【図３】
2010121267.tif 000005
【図４】
2010121267.tif 000006